(57)【要約】【課題】本発明の医療用器具は、特定の薬品と接触してもクレーズやクラックが生じることのない耐薬品性の高い材質よりなる医療用器具で、その医療用器具が外的応力負荷状態においても、その耐薬品性が長時間維持させることが可能医療用器具を提供する。【解決手段】上記課題を解決するために、本発明にかかる医療用器具は、ポリフェニルスルフォン、ポリエーテルイミドから選択される少なくとも１つの樹脂から形成されてなることを特徴とする医療用器具であり、前記医療用器具を、薬剤投与・注入具等に用いることにより、上記課題を達成することを特徴とする医療用器具である。【選択図】          図１
2004254789.tif 000002
【特許請求の範囲】
【請求項１】
ポリフェニルサルホン、ポリエーテルイミドから選択される少なくとも１つの樹脂から形成されてなることを特徴とする医療用器具。
【請求項２】
前記医療用器具が、薬剤投与・注入具であることを特徴とする前記請求項１記載の医療用器具。
【請求項３】
前記医療用器具が、ルアー式の接続方式が可能な接続部を有し、前記接続部に０．３から１．５％の歪みが負荷されてなることを特徴とする前記請求項１または２記載の医療用器具。
【請求項４】
前記医療用器具が、ルアー式の接続方式が可能な接続部を有し、前記接続部に５から５０ｃＮ・ｍのトルクが負荷されてなることを特徴とする前記請求項１から３のいずれかの項記載の医療用器具。
【請求項５】
前記医療用器具が、１日から７日間の範囲で応力が負荷されてなることを特徴とする前記請求項３または４のいずれかの項記載の医療用器具。
【請求項６】
前記医療用器具が、３つの分岐開口部を外周上に有する略円筒形の本体部と、前記本体部に対して回転可能で、液密になるように装着され、前記各分岐開口部のうち、所定の前記分岐開口部同士を連通可能なように流体流路を形成する３つの流路口を有する流路切換部とを備え、前記流路切換部を前記本体部に対して回動することで、流体流路の切換えを行うようにした三方活栓であることを特徴とする前記請求項１から５のいずれかの項記載の医療用器具。
【請求項７】
前記三方活栓が、前記分岐開口部のうち、いずれか１つの分岐開口部を形成する側壁部に混注口が設けられてなることを特徴とする前記請求項６記載の医療用器具。
【請求項８】
前記三方活栓が、前記流路切換部には直線上に形成される第１の流路口と第２の流路口、及び前記第１の流路口と第２の流路口とを結ぶ直線と直角をなす方向に第３の流路口が設けられ、第１の流路口と第３の流路口、第３の流路口と第２の流路口を連絡する２つの流体経路が設けられ、前記第３の流路口近傍において前記２つの流体経路が連通可能となるよう形成されてなる三方活栓であることを特徴とする前記請求項６または７のいずれかの項記載の医療用器具。
【発明の詳細な説明】
【０００１】
【発明の属する技術分野】
本発明は、医療用器具に関し、特に医療用の各種コネクタ、医療用活栓、連結管、Ｙ字管、Ｔ字管等の輸液用、輸血用、透析用に使用される薬剤投与・注入具に関する。
【０００２】
【従来の技術】
医療現場において、療法中における細菌感染は、患者に重篤な影響を及ぼすため、細心の対策が必要である。特に癌や白血病等の疾病に関する集中治療の現場では、その問題の重要性は極めて高い。
【０００３】
上記のような療法において、通常患者に薬剤を投与する際には、薬剤の入った輸液バッグと、患者とを連絡する輸液回路が用いられる。このような輸液回路は、一般的に可撓性の合成樹脂よりなる管状のチューブと、チューブ同士を接続したりする比較的剛性の高い樹脂よりなるコネクタ類から構成される。このコネクタ類は、物質的に高い剛性と、薬剤等の視認性を確保するための透明性、製品成形時の比較的容易な成形性などの要求を満たす必要がある。そのため、このようなコネクタ類の材質には、従来よりポリカーボネートが主に使用されてきた。
【０００４】
しかしながら、近年このようなポリカーボネート製のコネクタ類を療法時に使用している際、コネクタが破損する例が発生しており、問題となっている。
【０００５】
一方、ポリカーボネート樹脂は、特定の有機系化合物と接触するとクレーズやクラックを引き起こすといった特性がある。
【０００６】
このようなコネクタ類は通常雄型と雌型の形状のコネクタを、螺合あるいは嵌合させ、両者を接続させて使用する。雄型と雌型の形状のコネクタを接続させると、両コネクタには応力負荷がかかる。この応力負荷がかかった状態で、コネクタに特定の有機系化合物を接触させると、クレーズやクラックが発生しやすくなる。これがコネクタ類の破損の原因として考えられている。特に、より応力負荷がかかる雌型の形状のコネクタにおいて顕著である。
【０００７】
また、医療現場、特に集中治療の現場においては、抗がん剤、免疫抑制剤等が頻繁に使用される。これらの薬剤は、可溶剤としてベンジルアルコール、ポリオキシエチレン硬化ヒマシ油、脂肪乳剤、大豆油等が含まれている。これらの可溶剤を含有する薬剤を患者に投与するため、ポリカーボネート製のコネクタ類が用いられた輸液回路を長時間使用すると、コネクタ類が破損する事例が知られている（例えば、非特許文献１参照。）。
【０００８】
一方、耐薬品性の高い材質としては、ポリプロピレンがあげられる。しかしながら、ポリプロピレンは結晶性樹脂であるために収縮率が大きく、寸法安定性に欠けている。このため、ポリプロピレンは耐圧用途を目的とした三方活栓には適さない。
【０００９】
コネクタ類が破損すると、正確な薬剤投与ができなくなるだけでなく、破損した箇所が開放系となるため、患者が細菌感染に罹る恐れがある。医療従事者は、上記薬剤を使用する際には、細心の注意を払わねばならず、大きな負担となっていた。このため、医療現場では可溶剤を含有する薬剤を長時間使用しても破損したりすることのないプラスチック製のコネクタ類の要望がある。
【００１０】
また、輸液回路には、一般的に他の薬剤を混注させて使用したり、患者より血液を採取したりするための側注部を備えた三方活栓が設けられている。従来の三方活栓の側注部は、中空で長尺の管状構造をなしており、混注時に外部に対して開放系となることがあり、細菌が混入するおそれがあった。このため、医療現場では外部に対して開放系とならない閉鎖系で混注操作が可能な三方活栓が望まれていた。本願出願人は、先に閉鎖系を確保しながら、混注操作が可能となる医療用器具、三方活栓について提案している（例えば、特許文献１参照。）。しかし、上記に示した閉鎖系を確保可能な三方活栓においても、耐薬品性の向上を図ったものが望まれている。
【特許文献１】
特願２００１−３４８１４２号明細書（第４−１２頁、第１−２図）
【非特許文献１】
麻酔（第４９巻，２０００年：第８０２−８０５頁）
【００１１】
【発明が解決しようとする課題】
本発明の医療用器具は上記事情に鑑み、特定の薬品と接触してもクレーズやクラックが生じることのない耐薬品性の高い材質よりなる医療用器具で、その医療用器具が外的応力負荷状態においても、その耐薬品性が長時間維持させることが可能で、従来より用いられてきた材質、例えばポリカーボネート等とほぼ同等な特性、即ち、比較的高い剛性、及び透明性が確保可能な機械特性を有する医療用器具を提供する。更に、前記医療用器具が外部に対して開放系となることなく、閉鎖系を確保して、薬剤等の混注操作が可能な医療用器具を提供する。
【００１２】
【課題を解決するための手段】
上述の課題を解消するため、本発明にかかる三方活栓は、
（１）ポリフェニルサルホン、ポリエーテルイミドから選択される少なくとも１つの樹脂から形成されてなることを特徴とする医療用器具である。
【００１３】
これにより、特定の薬品と接触してもクレーズやクラックが生じることのない耐薬品性の高い材質よりなる医療用器具で、その医療用器具が外的応力負荷状態においても、その耐薬品性が長時間維持させることが可能な医療用器具を提供することが可能となる。
【００１４】
更には本発明は以下の（２）から（７）の各実施形態をとることによって、より優れた効果を得ることができる。
【００１５】
（２）前記医療用器具が、薬剤投与・注入具であることを特徴とする上記（１）記載の医療用器具。
【００１６】
（３）前記医療用器具が、ルアー式の接続方式が可能な接続部を有し、前記接続部に０．３から１．５％の歪みが負荷されてなることを特徴とする上記（１）または（２）記載の医療用器具。
【００１７】
（４）前記医療用器具が、ルアー式の接続方式が可能な接続部を有し、前記接続部に５から５０ｃＮ・ｍのトルクが負荷されてなることを特徴とする上記（１）から（３）のいずれかに記載の医療用器具。
【００１８】
（５）前記医療用器具が、１日から７日間の範囲で応力が負荷されてなることを特徴とする上記（３）または（４）のいずれかに記載の医療用器具。
【００１９】
（６）前記医療用器具が、３つの分岐開口部を外周上に有する略円筒形の本体部と、前記本体部に対して回転可能で、液密になるように装着され、前記各分岐開口部のうち、所定の前記分岐開口部同士を連通可能なように流体流路を形成する３つの流路口を有する流路切換部とを備え、前記流路切換部を前記本体部に対して回動することで、流体流路の切換えを行うようにした三方活栓であることを特徴とする上記（１）から（５）のいずれかに記載の医療用器具。
【００２０】
（７）前記三方活栓が、前記前記分岐開口部のうち、いずれか１つの分岐開口部を形成する側壁部に混注口が設けられてなることを特徴とする上記（６）記載の医療用器具。
【００２１】
（８）前記三方活栓が、前記流路切換部には直線上に形成される第１の流路口と第２の流路口、及び前記第１の流路口と第２の流路口とを結ぶ直線と直角をなす方向に第３の流路口が設けられ、第１の流路口と第３の流路口、第３の流路口と第２の流路口を連絡する２つの流体経路が設けられ、前記第３の流路口近傍において前記２つの流体経路が連通可能となるよう形成されてなる三方活栓であることを特徴とする上記（６）または（７）のいずれかに記載の医療用器具。
【００２２】
【発明の実施の形態】
本発明の医療用器具は、ポリフェニルサルホン、ポリエーテルイミドから選択される少なくとも１つの樹脂から形成されてなることを特徴とする医療用器具である。
【００２３】
また、本発明の医療用器具は、主として輸液用、輸血用、透析用に使用される薬剤投与・注入具に用いられる。具体的には、各種コネクタ（ルアーテーパーコネクタ、ルアロックコネクタ、ロックコネクタ）、医療用活栓（一方活栓、二連活栓、三連活栓、三方活栓、多連活栓、連続活栓）、連結管、Ｙ字管、Ｔ字管等の例が挙げられる。本発明の医療用器具が、薬剤投与・注入具に用いられるのは、薬剤投与・注入具が一般的にプラスチック製品にクレーズやクラック等の変性を及ぼす薬品に接触する機会が多いためである。
【００２４】
このような薬剤投与・注入具のような医療用器具が、ポリフェニルサルホン、ポリエーテルイミドなどの樹脂より構成されてなれば、前記薬品と接触しても、クレーズやクラック等の変性が軽減される。
また、前記薬品の具体例としては、ポリオキシエチレン硬化ヒマシ油類を１ｗｔ％以上含む薬剤、アルコール類を１ｗｔ％以上含む薬剤、脂肪乳剤、ケシ油等の油性薬剤、次亜塩素酸ナトリウム水溶液などの例が挙げられる。
【００２５】
前記薬品は、医療現場において、抗がん剤、免疫抑制剤等の可溶剤として用いられるため、同薬品を投与・注入する際に用いられる医療用器具には、本発明のようなポリフェニルサルホン、ポリエーテルイミドなどの樹脂からなる耐薬品性の高い医療用器具が好適である。
【００２６】
また、前記薬剤投与・注入具は、通常、雄・雌型のルアーロック、ルアースリップ、ネジによる形状をしており、それぞれを嵌合あるいは螺合して接続する。このため、各種部材の接続時には応力負荷（歪み）が生じた状態で接続されることになる。この時の各種部材の歪みは、０．３から１．５％の範囲にある。
【００２７】
また、各種部材の接続方法が、雄・雌型のルアーロックによる螺合の場合、各種部材に負荷されるトルクは、５から５０ｃＮ・ｍの範囲にある。これは、通常医療従事者の手技によるルアーロックを螺合する力が、５から５０ｃＮ・ｍの範囲にあるからである。手技による螺合の力が、５０ｃＮ・ｍを越えることはない。また、螺合の力が、５ｃＮ・ｍに満たない力で螺合しても、各ルアーロックの接続は不完全になる。
【００２８】
本発明の医療用器具によれば、上記に示した応力負荷条件であっても、薬剤の接触によるクレーズやクラック等の変性から軽減されるため、好適である。
【００２９】
また、本発明の医療用器具は、上記に示した応力負荷条件で長時間負荷された場合によっても、同じ効果を維持することが可能である。即ち、約１日から約７日間の範囲であれば、クラックやクレーズに対しても、ほぼ同等の耐性の効果を奏する。これは、医療現場、長時間の療法を必要とする集中治療療法の現場においては、非常に有利である。長時間耐薬品性の効果を維持することができれば、上記のような医療現場において、輸液回路を途中で交換したりする必要がないため、療法が簡素化することが可能となる。また、医療従事者や患者が医療用器具のクラック等による破損を心配する必要がなくなるため、心理的な負担が軽減される。そのため、本発明の医療用器具は、上記医療現場において、長時間安全で安定した療法を提供することが可能となるため、非常に有利である。
【００３０】
尚、本発明の効果を実質的に確保可能な範囲で、医療用具の材質に各種添加剤、具体的には滑剤、染顔料、光安定剤、紫外線吸収剤、帯電防止剤、酸化防止剤等を必要に応じて添加してもよい。
【００３１】
また、本発明の医療用器具は、３つの分岐開口部を外周上に有する略円筒形の本体部と、前記本体部に対して回転可能で、液密になるように装着され、前記各分岐開口部のうち、所定の前記分岐開口部同士を連通可能なように流体流路を形成する３つの流路口を有する流路切換部とを備え、前記流路切換部を前記本体部に対して回動することで、流体流路の切換えを行うようにした三方活栓であるのが好ましい。
【００３２】
医療現場における一般的な輸液療法では、患者に電解質等の薬液を患者に投与する輸液回路が用いられる。前記輸液回路には、メインラインから分岐して、別のラインを形成し、流路を選択可能にするように設けられた部品が用いられている。通常の輸液回路には、上記のような三方活栓が設けられてなる。また、このような三方活栓は輸液回路のメインラインに別の薬剤を投与するために設けられている。このため、三方活栓に本発明のようなポリフェニルサルホン、ポリエーテルイミドなどの樹脂より構成されれば、薬剤によるクレーズやクラック等の変性から軽減されるため、好適である。
【００３３】
また、前記三方活栓は、前記分岐開口部のうち、いずれか１つの分岐開口部を形成する側壁部に混注口が設けられてなることが好ましい。より好ましいのは、第３の分岐開口部を形成する側壁部に混注口を設ける態様である。
【００３４】
図１は、本発明の医療用器具の一例を示す三方活栓の全体図、図２はその横断面図である。本発明にかかる三方活栓は、３つの分岐開口部３１、３２、３３を有する略円筒形の本体部１と、ハンドル７と一体的に構成され、該本体部１に対して回転可能で、液密になるように装着され、前記各分岐開口部のうち、所定の前記分岐開口部同士を連通可能なように流体流路８を形成する３つの流路口６１、６２、６３を有する流路切換部５から構成されている。本体部１には、３つの分岐開口部２１、２２、２３が備えられている。第１分岐開口部２１、第２分岐開口部２２は本体部１の外周上の対向する位置関係に備えられ、第３分岐開口部２３は本体部の外周上に備えられ、且つ第１分岐開口部２１と第２分岐開口部２２の位置を９０度等配する位置に備えられている。また、第１分岐開口部２１、第２分岐開口部２２には、流体を導入あるいは導出するよう第１分岐管３１、第２分岐管３２がそれぞれ備えられている。一方、第３分岐開口部２３には混注口４が備えられている。混注口４は、針などが穿刺可能な隔膜４１を備え、三方活栓内の流体流路８が外部に対して、遮断されるよう備えられ、カバー４２が隔膜４１を固定し、挿入部分のみを露出させるよう備えられている。
【００３５】
前記三方活栓に、第３の分岐開口部を形成する側壁部に混注口が設けられていれば、従来の三方活栓の側注部のように、中空で長尺の管状構造をなさず、外部に対して閉鎖系を確保することができ、細菌が混入する恐れがないため、衛生的な混注操作が可能となる。
【００３６】
また、前記三方活栓は、流路切換部には直線上に形成される第１の流路口と第２の流路口、及び前記第１の流路口と第２の流路口とを結ぶ直線と直角をなす方向に第３の流路口が設けられ、第１の流路口と第３の流路口、第３の流路口と第２の流路口を連絡する２つの流体経路が設けられ、前記第３の流路口近傍において前記２つの流体経路が連通可能となるよう形成されてなるのが好ましい。
【００３７】
図３は、本発明の医療用器具の一例を示す三方活栓の流路切換部において流路の方向性を示す模式図である。図２中の矢印は流体の流れの方向を示している。流路切換部５には、３つの流路口６１、６２、６３が備えられている。第１流路口６１、第２流路口６２は本体部１の外周上の対向する位置関係に備えられ、第３流路口６３は流路切換部５の外周上、第１流路口６１と第２流路口６２の位置を９０度等配する位置に備えられている。流路切換部５に設けられた流体流路８は、第１流路口６１と第３流路口６３とを連絡する流体流路と、第２流路口６２と第３流路口６３とを連絡する流体流路で構成されている。また、両流体流路は第３流体口６３にて連通するよう設けられている。更に両流体流路の第３流体流路６３における基端部９１、９２は、三方活栓本体の上下方向において、第１流路口６１と第３流路口６３とを連絡する流体流路の基端部９１が下側に、第２流路口６２と第３流路口６３とを連絡する流体流路の基端部９２が上側に位置するよう、それぞれ設けられている。各流体流路は第３流路口６３の各基端部９１、９２より延出し、それぞれ第１流路口６１、第２流路口６２へと連絡している。これにより、前記三方活栓の流路切換部に設けられた流体流路が、分岐することのない１本の流路形態であり、更に流体流路が混注口にて連通するよう設けられているため、流体の流れは本体部の分岐開口部内に形成された空間を経て環流するため、本体部内の空間にも滞留部が発生しない。
【００３８】
上記構成であれば、三方活栓内の流路に滞留部が生じることがなくなり、正確な薬剤投与操作が可能となるので、好適である。また、上記構成の三方活栓は、流路に滞留部が生じないため、長時間の安定した療法が可能となるので、更に好適である。
【００３９】
【実施例】
以下に本発明を実施例により具体的に説明するが、本発明はそれら実施例に制限されるものではない。
【００４０】
試験例１
・樹脂の選定
（実施例１から２及び比較例１から２）
実施例１：ポリエーテルイミド（ウルテムＣＲＳ５００１、ＧＥプラスチックス社製）
実施例２：ポリフェニルサルホン（レーデルＲ５５００、ソルベイ社製）
比較例１：ポリカーボネート（マクロロンＲＸ１８０５、バイエル社製）
・試験片（三方活栓）の作製
上記選定された樹脂により、図１に示した三方活栓を成形温度約３００〜４００℃にて成形した。図１は、本発明の医療用器具の一例を示す三方活栓の全体図である。三方活栓は、３つの分岐開口部３１、３２、３３を外周上に有する略円筒形の本体部１と、前記本体部１に対して回転可能で、液密になるように装着され、前記各分岐開口部のうち、所定の前記分岐開口部同士を連通可能なように流体流路を形成する３つの流路口を有する流路切換部とを備え、前記流路切換部を前記本体部に対して回動することで、流体流路の切換えを行うようにした三方活栓である。また、前記三方活栓には、他の輸液チューブのオスルアー（図示せず）と接続させるためのメスルアー３１１が形成されている。
【００４１】
・試料の作成
上記試験例１にて作製した各三方活栓のメスルアーに下記に示した各薬品を数滴塗布し、塗布した薬品を全体に薬品が接触するように伸展させながら、オスルアーを挿入し、ロックナットを４０ｃＮ・ｍのトルクで螺合し、締結する。
薬品ａ：ポリオキシエチレン硬化ヒマシ油６０  １０％水溶液
薬品ｂ：脂肪乳剤（大塚イントラリピッド２０、（株）大塚製薬）
薬品ｃ：ヨード化ケシ油（リピオドール  ウルトラフルイド、日本シェーリング）
薬品ｄ：ベンジルアルコール４％水溶液
・試験方法
室温にて２４時間放置した後、三方活栓の外観性状（クレーズ、クラック等の有無）を目視にて確認する。
【００４２】
尚、本明細書中において、外観性状を表現する用語として、「クレーズ」あるいは「クラック」という用語を使用したが、「クレーズ」は表面上の「ひび割れ」（本体を貫通しない表面の傷状の「割れ」）を示し、「クラック」は完全な「割れ」（本体を貫通する「割れ」や本体の「破損」を示す）を示す用語として定義している。
【００４３】
・試験結果
試験結果を表１に示した。また、表中には試料の外観性状とその発生頻度を示す数値（％）で示した。
【００４４】
【表１】
2004254789.tif 000003
【００４５】
表１から明らかなように、本発明の医療用器具の材料である実施例１及び実施例２の医療用器具は、比較例１（ポリカーボネート）よりも、各薬品を塗布した場合に、クレーズやクラック等の発生する頻度は少なかった。実施例２（ポリフェニルサルホン）においては、薬品ａ、薬品ｄに接触させた場合には、クラックの外観性状の変化を認めたものの、比較例１と比べて発生頻度は低くかった。また、実施例２は薬品ｂ、薬品ｃに対しては外観性状の変化を全く認めなかった。
一方、実施例１（ポリエーテルイミド）においては、いずれの薬品に対しても、クレーズやクラック等の外観性状の変化を全く認められなかった。
【００４６】
このことより、実施例１及び実施例２は、比較例１（ポリカーボネート）よりも耐薬品性が高いということがわかる。
【００４７】
試験例２
上記試験例１にて得られた試験片を用い、同じく試験例１と同様の方法で各薬品を塗布し、試料を得た。
【００４８】
・試験方法
室温にて３日後あるいは１週間放置した後、三方活栓の外観性状（クラック等の有無）を目視にて確認する。
【００４９】
・試験結果
試験結果を表２（３日後）、表３（１週間後）に示した。
【００５０】
【表２】
2004254789.tif 000004
【００５１】
【表３】
2004254789.tif 000005
【００５２】
表２、表３から明らかなように、本発明の医療用器具の材料である実施例１及び実施例２の医療用器具は、比較例１（ポリカーボネート）よりも、各薬品を比較的長時間接触させた場合においても、クレーズやクラック等の発生する頻度は少なかった。
【００５３】
実施例１においては、１週間の薬品ｄの接触にて、クラック（頻度５０％）を認めたものの、他の薬品ａ、ｂ、ｃとの１週間との接触においても外観性状の変化を認めなかった。また、実施例１（ポリエーテルイミド）は、３日間のいずれの薬品との接触においても、外観性状の変化は認めなかった。
【００５４】
一方、実施例２（ポリフェニルサルホン）においては、薬品ａ、薬品ｄに３日間以上接触させた場合には、クラックが認められたものの、薬品ｂ、薬品ｃに対しては外観性状の変化を全く認めなかった。また、実施例２では、薬品ｂ、薬品ｃに対しては１週間の耐薬品性の効果を示した。
【００５５】
このことより、実施例１及び実施例２は、比較例１（ポリカーボネート）よりも耐薬品性が高く、しかもその効果は比較的長時間（約１週間）確保することが可能であるということがわかる。
【００５６】
【発明の効果】
本発明の医療用器具によれば、ポリフェニルサルホン、ポリエーテルイミドから選択される少なくとも１つの樹脂から形成されてなることを特徴とする医療用器具である。これにより、特定の薬品と接触してもクレーズやクラックが生じることのない耐薬品性の高い材質よりなる医療用器具で、その医療用器具が外的応力負荷状態においても、その耐薬品性が長時間維持させることが可能な医療用器具を提供することが可能となる効果を奏する。
【００５７】
また、本発明の医療用器具は、主として輸液用、輸血用、透析用に使用される薬剤投与・注入具、特に三方活栓として使用されることで、上記に示した効果を奏するので好適である。
【００５８】
また、前記三方活栓に第３の分岐開口部を形成する側壁部に混注口を設ける構成とすることで、外部に対して閉鎖系を確保することが可能となり、細菌が混入する恐れがないため、衛生的な混注操作が可能となる効果を奏する。
【００５９】
更に、前記三方活栓の流路切換部に設けられた流体流路が、分岐することのない１本の流路形態であり、更に流体流路が混注口にて連通するよう設けられているため、流体の流れは本体部の分岐開口部内に形成された空間を経て環流するため、本体部内の空間にも滞留部が発生しない。これにより、三方活栓内において流体の滞留部を消失させ、正確な薬剤投与操作が可能となる効果を奏する。
【図面の簡単な説明】
【図１】本発明の医療用器具の一例を示す三方活栓の全体図
【図２】本発明の医療用器具の一例を示す三方活栓の横断面図
【図３】本発明の医療用器具の一例を示す三方活栓の流路切換部において流路の方向性を示す模式図
【符号の説明】
１．本体部
２１．第１分岐開口部
２２．第２分岐開口部
２３．第３分岐開口部
３１．第１分岐管
３２．第２分岐管
３３．第３分岐管
４．混注口
４１．隔膜
４２．カバー
５．流路切換部
６１．第１流路口
６２．第２流路口
６３．第３流路口
７．ハンドル
８．流体流路
９１．第３流路口から第１流路口へと連絡する流体流路の基端部
９２．第３流路口から第２流路口へと連絡する流体流路の基端部
【図１】
2004254789.tif 000006
【図２】
2004254789.tif 000007
【図３】
2004254789.tif 000008